(57)【要約】  【課題】格別の後成形加工などを必要とせず冠瓦本体のプレス成形が利用でき、葺設施工自体も従来と何ら変わることなく行える、耐震、耐風に優れた防災瓦を提供する。  【解決手段】棟の最上部に一連に葺設される冠瓦２であって、一端には、端部全体を覆って膨出形成され、その下側に切り欠き部３１を設けた紐部３を備えており、他端部分を、葺設時に隣接する冠瓦の紐部３の前記切り欠き部３１相当部分に差し込まれる差込部４としていて、葺設時には、ある瓦の紐部３の切り欠き部３１が隣接する瓦の差込部４に重ね合わされて配置されるよう構成され、この切り欠き部３１には、葺設時に隣接する冠瓦の差込部４に設けた凸条４１に係合する凹溝３２を形成しており、この差込部４には、凸条４１が形成されている点にある。  【選択図】  図１
2009091768.tif 000002
【特許請求の範囲】
【請求項１】
棟頂部において一連に連設されて葺設される、一端から他端にかけ長手方向に長さの長い冠瓦であって、その一端に紐部を備え、その他端を葺設時に隣接する冠瓦の紐部の下側に差し込まれる差込部とし、その差込部表面には端面に沿って凸条を形成し、前記紐部裏面には、葺設時に隣接する冠瓦の前記凸条に係合する凹溝を形成したことを特徴とする防災瓦。
【請求項２】
棟頂部において一連に連設されて葺設される、一端から他端にかけ長手方向に長さの長い冠瓦であって、その一端に連設用差込み突出部を備え、その他端を葺設時に隣接する冠瓦の連設用差込み突出部に重ね合わせる連設部とし、棟頂部において一連に連設されて葺設される冠瓦であって、その連設用差込み突出部表面には端面に沿って凸条を形成し、前記連設部裏面には、葺設時に隣接する冠瓦の前記凸条に係合する凹溝を形成したことを特徴とする防災瓦。
【請求項３】
前記凸条を断続して形成し、前記凹溝を前記断続する凸条に対応して断続して形成した請求項１または２に記載の防災瓦。
【請求項４】
前記凸条に沿って水切り溝を設けた請求項１または２または３に記載の防災瓦。
【発明の詳細な説明】
【技術分野】
【０００１】
本発明は、耐風、耐震に優れた防災冠瓦の改良に関する。
【背景技術】
【０００２】
従来、瓦屋根の構造において、その頂上部分である棟部分は外力を受け易い部分である。例えば、地震時のゆれ振動や台風時の強風圧力などによる繰り返し外力を受け易いので、その結果生じる、棟の崩壊に伴う瓦のめくれ、落下などの事故の防止が当業界において重要な課題となっている。
【０００３】
このような目的のため、従来から幾多の提案がなされている。例えば、特許文献１（特開２００２−１４６９７１号公報）では、耐震、耐風を意図した棟瓦であって、その裏面の突合せ端面に軸方向に延びる係止突起を設け、他方の端面に係止受け部を設けた構造が提案されている。この構造の棟瓦は、係止突起を係止受け部のかみ合せることにより、棟方向に対して直角方向のずれ、あるいは瓦の浮き上がりが防止できるよう、相互の連携を強化するものであるが、重要な部分である前記係止突起は、軸方向に突出しているため、粘土素地の自動プレス成形時に、本体の成形と同時に成形できないから、別途、後加工が必要となる不具合があった。
【０００４】
また、特許文献２（特開２００４−６０４１６号公報）には、最上段ののし瓦本体表面に桟木の滑り止め突起２本と冠瓦の滑り止め突起２本を取付け、冠瓦自体は緊結用線で固定する構造が提案されている。この構造では、冠瓦自体は緊結用線で固定するという、旧来の固定方法を踏襲するものであるうえ、最上段ののし瓦に極めて特殊な構造を形成するという瓦葺き施工の工数が増えるという問題があった。
【０００５】
さらに、特許文献３（特開２００２−１３８６３０号公報）には、丸冠瓦の両端角部の４箇所に相互に噛み合う切り欠き凹、嵌め込み凸部を設けて、浮き上がり防止と左右ずれ防止を意図したものであるが、構造が複雑で、自動プレス成形はそのような凹凸部分が製作できなきないので、手作業による後加工が必要となり、高コストになる不具合があった。
【０００６】
【特許文献１】特開２００２−１４６９７１号公報
【特許文献２】特開２００４−６０４１６号公報
【特許文献２】特開２００２−１３８６３０号公報
【発明の開示】
【発明が解決しようとする課題】
【０００７】
本発明は、上記の問題点を解決するためになされたものであり、格別の後成形加工などを必要とせず冠瓦本体のプレス成形が利用でき、葺設施工自体も従来と何ら変わることなく行える、耐震、耐風に優れた防災瓦を提供する。
【課題を解決するための手段】
【０００８】
上記の問題は、棟頂部において一連に連設されて葺設される、一端から他端にかけ長手方向に長さの長い冠瓦であって、その一端に紐部を備え、その他端を葺設時に隣接する冠瓦の紐部の下側に差し込まれる差込部とし、その差込部表面には端面に沿って凸条を形成し、前記紐部裏面には、葺設時に隣接する冠瓦の前記凸条に係合する凹溝を形成したことを特徴とする本発明（第１発明）の防災瓦によって、解決することができる。
【０００９】
また、上記の問題は、棟頂部において一連に連設されて葺設される、一端から他端にかけ長手方向に長さの長い冠瓦であって、一端から他端にかけ長手方向を横切る断面が円弧状に形成され、その一端に連設用差込み突出部を備え、その他端を葺設時に隣接する冠瓦の連設用差込み突出部に重ね合わせる連設部とし、その連設用差込み突出部表面には端面に沿って凸条を形成し、前記連設部裏面には、葺設時に隣接する冠瓦の前記凸条に係合する凹溝を形成したことを特徴とする本発明（第２発明）の防災瓦によって、解決することができる。
【００１０】
また、本発明は、前記凸条を断続して形成し、前記凹溝を前記断続する凸条に対応して断続して形成した形態に具体化でき、さらに前記凸条に沿って水切り溝を設けた形態に好ましく具体化できる。
【発明の効果】
【００１１】
本発明の防災瓦は、瓦の両端部分に設けられたそれぞれの凸条と凹溝とが、葺設時には隣接して葺設される瓦の同じく凹溝、凸条とに係合して冠瓦の連設状態が保持されるので、好ましい耐震、耐風性能を発揮する。さらに、前記凹溝、凸条は、格別の成形後加工などを必要とせず冠瓦本体のプレス成形と同時に成形できるからコスト増にもならず、また葺設施工自体も従来と何ら変わることなく行えるという優れた効果がある。よって本発明は、従来の問題点を解消した防災瓦として、実用的価値はきわめて大なるものがある。
【発明を実施するための最良の形態】
【００１２】
（第１実施形態）
次に、本発明の防災瓦に係る第１実施形態について、図１〜３を参照しながら説明する。
屋根構造の棟頂部では、図３に例示するように、葺き上げられた桟瓦１１の最上部において、頂部に沿って設けた棟芯材１２を芯として、複数枚ののし瓦１３を積み上げて固定し、その上部に冠瓦２を一連に葺き連ね、長ねじ材１４などで固定したのし瓦積み棟の例が多く見られる。本発明は、このような棟頂部に沿って一連に葺設される冠瓦２をその対象としている。なお、ここでは、長手方向を横切る断面形状が円弧状の瓦を事例としている。
【００１３】
この実施形態の防災瓦は、このような棟頂部に一連に葺設される冠瓦２であって、その一方の端部には、端部全体を覆って膨出形成された紐部３を備えており、その内側に内周方向に延びる円弧状の切り欠き部３１を設けている。そして他方の端部分は、葺設時に隣接する冠瓦の紐部３の内側に設けられた前記切り欠き部３１に差し込まれる差込部４であって、葺設時には、隣接する瓦の紐部３の切り欠き部３１がこの差込部４に重ね合わされ隙間のない状態となって、各冠瓦が一連に葺き連ねられるよう配置される。
【００１４】
本発明の特徴とするところは、図１に例示するように、当該差込部４の表面には（図１（Ａ）参照）、幅：３ｍｍ〜１２ｍｍ、高さ：３ｍｍ〜１２ｍｍ、長さが差込部４の幅員の１０％以上の凸条４１が端面に沿って形成されており、また、当該紐部３の切り欠き部３１には（図１（Ｂ）参照）、その円弧状裏面に、内周方向に沿って凹溝３２が形成されていて、この凹溝３２が葺設時に隣接する冠瓦の差込部４に設けた前記凸条４１に重ね合わされ係合可能に設けられている点にある。
【００１５】
本発明の防災瓦は、以上説明したように葺設された屋根構造において、その差込部４表面に設けた凸条４１と、その他端側の紐部３切り欠き部３１の裏面に設けた凹溝３２とが、隣接して葺設される瓦の同様な凹溝３２、凸条４１と嵌め合わされ、係合して連設状態に保持されるので、相互にその配置状態を拘束し合うことになり、好ましい耐震、耐風性能を発揮することになる。
【００１６】
また、本発明では、前記凹溝３２は、端部全体を覆って膨出形成された紐部３の裏面に形成されているので十分な肉厚を保持できるうえ、前記凸条４１は、十分な肉厚を保持している差込部４表面に形成されるので、その両者の凹凸は瓦の機械的強度を低下させることはない。
【００１７】
さらに、前記凹溝３２および凸条４１は、冠瓦２本体をプレス成形するのと同時に成形できるものであるから、格別の成形後加工などを必要とせず、格別にコスト増にもならい。また葺設施工自体も、差込部４に紐部３を重ね合わせるだけであるから、従来と何ら変わることなく、この点においても格別にコスト増にならないという優れた効果がある。
【００１８】
さらに、本発明は、前記凸条４１を断続して形成し（図２（Ｄ）参照）、前記凹溝３２を前記断続する凸条４１に対応して断続して形成（図２（Ｅ）参照）すれば、葺設時の連設がより強固になり耐風耐震上好ましいものとなる。
【００１９】
また、前記凸条４１の内側に沿って水切り溝４２を設けた場合は、水切り溝４２に基づく強度低下が凸条４１によって補強されるから弱点とはならない利点が得られるうえ、強雨時の浸水防止のためにより好ましいものとなる。
また、本発明の冠瓦として、紐丸瓦、丸桟伏間瓦、角桟伏間瓦、箱冠瓦、のし丸瓦、京箱瓦、京伏間瓦など各種の冠瓦に適用できることはいうまでもないことである。
【００２０】
（第２実施形態）
次に、本発明の防災瓦に係る第２実施形態について、図４、５を参照しながら説明する。この防災瓦は、棟頂部に一連に葺設されるための、一方の端部から他方の端部にかけ長手方向に長さが長く形成された冠瓦であることは、先の実施形態と同じである。また、棟頂部の構造も、先の図３に例示したものと同様に構成される。なお、ここでは、長手方向を横切る断面形状が円弧状の瓦を事例としている。
【００２１】
この実施形態の冠瓦５は、一方の端部に連設用差込み突出部６を突出させて備え、その他方の端部を葺設時に隣接する冠瓦の連設用差込み突出部６に重ね合わす連設部７とするものである。そして、この冠瓦５は、この連設用差込み突出部６を隣り合う瓦の連設部７の下側に差込み重ね合わせて一連に葺設されるが、この冠瓦５は、先の実施形態にような紐部を有しないので、先の実施形態とは葺設外観が異なり、棟頂部がほぼ一様な直線状外観を示すものである。
【００２２】
そして、この実施形態の特徴とするところは、図４（Ａ）に示すように、その連設用差込み突出部６の表面には端面に沿って外周方向に延びる凸条６１を形成し、その連設部７裏面には、葺設時に隣接する冠瓦の前記凸条に係合する凹溝７１を内周方向に延びた形状に形成した点にある。この凸条６１の寸法は、第１実施形態と同様に、幅：３ｍｍ〜１２ｍｍ、高さ：３ｍｍ〜１２ｍｍ、長さが差込み突出部６の幅員の１０％以上とするのがよい。
【００２３】
本発明の第２実施形態の防災瓦は、以上説明したように葺設された屋根構造において、その連設用差込み突出部６に設けた凸条６１と、その他端側の連設部７裏面に設けた凹溝７１とが、隣接して葺設される瓦の同様な凹溝７１、凸条６１と嵌着、係合して連設状態に保持されるので、相互にその配置状態を拘束し合うことになり、第１の実施形態同様に好ましい耐震、耐風性能を発揮することになる。
【００２４】
さらに、前記凹溝７１および凸条６１は、冠瓦５本体をプレス成形するのと同時に成形できるから、格別の成形後加工などを必要とせず、格別にコスト増にもならい。また葺設施工自体も、相互に重ね合わせるだけであるから、従来と何ら変わることなく、この点においても格別にコスト増にならないという優れた効果が得られるのは、第１実施形態と同様である。
【００２５】
この実施形態の変形（図４（Ｂ）参照）として、当該連設用差込み突出部６表面には、端面に沿って設けた凹溝６３を隔てて凸条６２を形成し、当該の連設部７裏面には、葺設時に隣接する冠瓦の前記凸条６２に係合するよう、端面から隔てて内周方向に凹溝７２を形成した形態もより好ましく具体化される。
【００２６】
この場合の凸条６２と凹溝７２との作用効果は、先の実施形態と同様であるので説明は省略するが、特に耐震、耐風性能において、この場合は、隣接する瓦を長手方向に引き離す方向においてもその配置状態を拘束し合うので、より効果的であると言える。
【００２７】
さらに、この図４に示す実施形態において、前記凸条６１を一体のもの（図５（Ａ）参照）から断続して形成し（図５（Ｂ）参照）、前記凹溝７１を前記断続する凸条６１に対応して断続して形成（図示せず）すれば、葺設時の連設がより強固になり耐風耐震上好ましいものとなる。この変形は、図４（Ｂ）の場合にも有効である。
【００２８】
また、図４の場合に、前記凸条６１の外側に水切り溝６３を設けた場合（図４（Ａ）参照）と、内側に水切り溝６３を設けた場合（図４（Ｂ）参照）とを例示しているが、いずれの場合も強雨時の浸水防止のためにより好ましいものとなるものの、この水切り溝６３は本発明に必須ではない。
また、本発明の冠瓦として、カメ伏間、５寸素丸、５．５寸素丸、６寸素丸、のし付き素丸など各種の冠瓦に適用できることは言うまでもない。
【図面の簡単な説明】
【００２９】
【図１】本発明の第１実施形態を説明するための表面斜視図（Ａ）、裏面斜視図（Ｂ）。
【図２】第１実施形態の変形例を示す側面図（Ａ）、上面図（Ｂ）裏面図（Ｃ）、上面図（Ｄ）裏面図（Ｅ）。
【図３】屋根構造の棟部分を説明するための要部斜視図。
【図４】第２実施形態の事例を示す要部側面図（Ａ）（Ｂ）。
【図５】第２実施形態の事例を示す差込み突出部側の要部前面図（Ａ）（Ｂ）（Ｃ）。
【符号の説明】
【００３０】
１：１１：桟瓦、１２：棟芯材、１３：のし瓦、１４：長ねじ材
２：冠瓦
３：紐部、３１：切り欠き部、３２：凹溝３２
４：差込部、４１：凸条
【図１】
2009091768.tif 000003
【図２】
2009091768.tif 000004
【図３】
2009091768.tif 000005
【図４】
2009091768.tif 000006
【図５】
2009091768.tif 000007